(57)【要約】【課題】  電源投入時にオープニング画面を表示させるように容易に切換えることのできる電子機器及びオープニング画面表示方法を得る。【解決手段】  ＣＰＵ４０は、電源が投入された際にオープニング画面を表示しないことが設定されていると共に、操作部５６における予め定められたスイッチが操作されたとき、前記オープニング画面を表示するように液晶ディスプレイ３８を制御する。【選択図】        図２
2005253002.tif 000002
【特許請求の範囲】
【請求項１】
電源が投入されたときに予め定められたオープニング画面を表示手段により表示するか否かを予め選択的に設定可能に構成された電子機器であって、
前記オープニング画面の前記表示手段による表示状態を切換える際に操作される操作手段と、
電源が投入された際に前記オープニング画面を表示しないことが設定されていると共に前記操作手段が操作されたとき、前記オープニング画面を表示するように前記表示手段を制御する制御手段と、
を備えた電子機器。
【請求項２】
前記制御手段は、電源が投入された際に前記オープニング画面を表示することが設定されていると共に前記操作手段が操作されたとき、前記オープニング画面の前記表示手段による表示を禁止する
請求項１記載の電子機器。
【請求項３】
前記操作手段を、設定されている動作モードで用いられるスイッチとした
請求項１又は請求項２記載の電子機器。
【請求項４】
電源が投入されたときに予め定められたオープニング画面を表示手段により表示するか否かを予め選択的に設定可能に構成された電子機器におけるオープニング画面表示方法であって、
電源が投入された際に前記オープニング画面を表示しないことが設定されていると共に予め定められた操作手段が操作されたとき、前記オープニング画面を表示するように前記表示手段を制御する、
オープニング画面表示方法。
【請求項５】
電源が投入された際に前記オープニング画面を表示することが設定されていると共に予め定められた操作手段が操作されたとき、前記オープニング画面の前記表示手段による表示を禁止する、
請求項４記載のオープニング画面表示方法。
【発明の詳細な説明】
【技術分野】
【０００１】
本発明は、電子機器及びオープニング画面表示方法に係り、特に、電源が投入されたときに予め定められたオープニング画面を表示手段により表示するか否かを選択的に設定可能に構成された電子機器及び当該電子機器におけるオープニング画面表示方法に関する。
【背景技術】
【０００２】
液晶ディスプレイ、ＣＲＴディスプレイ等の表示装置を備えた従来の電子機器では、電源投入による起動時において各種メニュー画面等を表示するものが多かったが、近年の電子機器には、オープニング画面として製造会社のロゴや当該電子機器の名称等を所定期間表示して、製品イメージを高めることが行われている。また、最近では、ユーザによって設定された任意の画像をオープニング画面として表示することのできる電子機器も多数製品化されている。
【０００３】
ところで、この種の電子機器では、オープニング画面が表示されているために当該電子機器の有する機能を即座に利用できない場合があった。
【０００４】
そこで、この問題を解決するための技術として、電源遮断から電源再投入までの時間を測定し、測定時間が設定時間より長い場合にのみオープニング画面を表示させる技術があった（例えば、特許文献１参照。）。
【０００５】
この技術によれば、例えば、作動中に短時間の停電（瞬停）が発生して再び通電された場合等の電源を短時間で再投入した場合における、改めてオープニング画面が表示される事態を回避することができ、電子機器の有する機能を即座に利用することができる。
【特許文献１】特許第３１０６６０１号公報
【発明の開示】
【発明が解決しようとする課題】
【０００６】
ところで、近年の電子機器では、オープニング画面を表示するか否かを選択的に設定可能に構成されたものが多数存在する。
【０００７】
この種の電子機器では、通常使用時において当該電子機器の有する機能を即座に利用できるようにするべく、オープニング画面が表示されないように設定されている場合においても、当該電子機器の使用開始までに時間的余裕がある等の場合にはオープニング画面を表示させたい場合がある。この要望は、オープニング画面として任意の画像を表示することができる場合に特に強い。
【０００８】
しかしながら、オープニング画面が表示されるようにするためには電子機器の電源投入後にオープニング画面の表示を行うように再設定する必要があり、当該電源投入時に急遽オープニング画面を表示させるように切換えることができない、という問題点があった。
【０００９】
なお、上記特許文献１の技術では、電源を短時間で再投入した場合の不必要なオープニング画面の表示を回避することはできるものの、これとは逆にオープニング画面を表示させるようにする点については考慮されておらず、当該技術においても上記問題点を回避することはできない。
【００１０】
本発明は上記問題点を解消するためになされたものであり、電源投入時にオープニング画面を表示させるように容易に切換えることのできる電子機器及びオープニング画面表示方法を提供することを目的とする。
【課題を解決するための手段】
【００１１】
上記目的を達成するために、請求項１記載の電子機器は、電源が投入されたときに予め定められたオープニング画面を表示手段により表示するか否かを予め選択的に設定可能に構成された電子機器であって、前記オープニング画面の前記表示手段による表示状態を切換える際に操作される操作手段と、電源が投入された際に前記オープニング画面を表示しないことが設定されていると共に前記操作手段が操作されたとき、前記オープニング画面を表示するように前記表示手段を制御する制御手段と、を備えている。
【００１２】
請求項１に記載の電子機器には、オープニング画面の表示手段による表示状態を切換える際に操作される操作手段が備えられている。なお、上記表示手段には、液晶ディスプレイ、ＣＲＴディスプレイ、プラズマディスプレイ、有機ＥＬディスプレイ等の各種ディスプレイが含まれる。また、上記操作手段には、オープニング画面の表示手段による表示状態を切換えるだけのために設けられた専用のスイッチ類の他、当該電子機器に所定の指示を入力するために予め設けられているスイッチ類も含まれる。
【００１３】
ここで、本発明では、電源が投入された際に前記オープニング画面を表示しないことが設定されていると共に前記操作手段が操作されたとき、制御手段によって前記オープニング画面を表示するように前記表示手段が制御される。
【００１４】
このように、請求項１に記載の電子機器によれば、電源が投入された際にオープニング画面を表示しないことが設定されていると共に予め定められた操作手段が操作されたとき、前記オープニング画面を表示するように表示手段を制御しているので、電源投入時にオープニング画面を表示させるように容易に切換えることができる。
【００１５】
ところで、通常使用時において当該電子機器でオープニング画面が表示されるように設定されている場合においても、状況によってはオープニング画面の表示を省略して当該電子機器の有する機能を即座に利用できるようにしたい場合もある。
【００１６】
そこで、本発明の前記制御手段は、請求項２に記載の発明のように、電源が投入された際に前記オープニング画面を表示することが設定されていると共に前記操作手段が操作されたとき、前記オープニング画面の前記表示手段による表示を禁止することが好ましい。これによって、オープニング画面の表示を容易に省略することができる。
【００１７】
なお、本発明は、請求項３に記載の発明のように、前記操作手段を、設定されている動作モードで用いられるスイッチとすることが好ましい。これによって、設定されている動作モードでの操作に即座に移行することができ、利便性を向上させることができる。
【００１８】
一方、上記目的を達成するために、請求項４記載のオープニング画面表示方法は、電源が投入されたときに予め定められたオープニング画面を表示手段により表示するか否かを予め選択的に設定可能に構成された電子機器におけるオープニング画面表示方法であって、電源が投入された際に前記オープニング画面を表示しないことが設定されていると共に予め定められた操作手段が操作されたとき、前記オープニング画面を表示するように前記表示手段を制御するものである。
【００１９】
従って、請求項４に記載のオープニング画面表示方法によれば、請求項１に記載の発明と同様に作用するので、請求項１記載の発明と同様に、電源投入時にオープニング画面を表示させるように容易に切換えることができる。
【００２０】
なお、本発明は、請求項５に記載の発明のように、電源が投入された際に前記オープニング画面を表示することが設定されていると共に予め定められた操作手段が操作されたとき、前記オープニング画面の前記表示手段による表示を禁止することが好ましい。これによって、オープニング画面の表示を容易に省略することができる。
【発明の効果】
【００２１】
本発明によれば、電源が投入された際にオープニング画面を表示しないことが設定されていると共に予め定められた操作手段が操作されたとき、前記オープニング画面を表示するように表示手段を制御しているので、電源投入時にオープニング画面を表示させるように容易に切換えることができる、という効果が得られる。
【発明を実施するための最良の形態】
【００２２】
以下、図面を参照して、本発明の実施の形態について詳細に説明する。なお、ここでは、本発明を静止画像及び動画像の双方の撮影を行う機能を有するデジタルカメラに適用した場合について説明する。
【００２３】
まず、図１を参照して、本実施の形態に係るデジタルカメラ１０の外観上の構成を説明する。
【００２４】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２５】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２６】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２７】
また、モード切替スイッチ５６Ｃは、静止画像の撮影を行うモードである静止画撮影モード、動画像の撮影を行うモードである動画撮影モード、及び被写体像を後述するＬＣＤ３８に再生するモードである再生モードの何れかのモードに設定する際に回転操作される。
【００２８】
一方、デジタルカメラ１０の背面には、前述のファインダ２０の接眼部と、撮影された被写体像やメニュー画面等を表示するための液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００２９】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行うときに押圧操作されるマクロ撮影スイッチと、が備えられている。
【００３０】
次に、図２を参照して、本実施の形態に係るデジタルカメラ１０の電気系の主要構成を説明する。
【００３１】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３２】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３３】
なお、デジタル信号処理部３０は、所定容量のラインバッファを内蔵し、入力されたデジタルデータを後述するメモリ４８の所定領域に直接記憶させる制御も行う。
【００３４】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３５】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００３６】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３７】
なお、本実施の形態のデジタルカメラ１０では、メモリ４８としてＶＲＡＭ（Video RAM）が用いられ、メモリカード５２としてスマートメディア（Smart Media(R)）が用いられている。
【００３８】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００３９】
なお、ＣＰＵ４０にはタイマ４０Ａが内蔵されており、ＣＰＵ４０は、タイマ４０Ａを用いて任意に計時することができる。
【００４０】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４１】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４２】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４３】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４４】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４５】
ところで、本実施の形態に係るデジタルカメラ１０では、メニュースイッチを押圧操作することによってＬＣＤ３８に表示されるメニュー画面上で各種パラメータの設定を行うことができる。具体的には、図３に模式的に示すように、一般的な設定項目として、セルフタイマー撮影に関する設定、自動的に電源をオフさせる時間の設定、撮影によって取得するデジタル画像データの画素数の設定、オープニング画面を表示させる期間の設定等を行うことができる。なお、これらの一般的な設定項目以外の項目としては、ホワイトバランスに関する設定、ＩＳＯ感度に関する設定等が挙げられる。
【００４６】
そして、オープニング画面を表示させる期間を設定する際には、一例として図４に示すような設定画面がＬＣＤ３８に表示され、当該画面上で十字カーソルスイッチ５６Ｄの操作により、当該期間を設定することができる。なお、ここで設定された期間が０（零）である場合は、オープニング画面を表示しないことを示す。
【００４７】
また、本実施の形態に係るデジタルカメラ１０では、電源スイッチ５６Ｂがオンされて電源が投入されたときにオープニング画面として表示する画像を、撮影によって得られ、かつメモリカード５２に記録されたデジタル画像データにより示される画像から各種動作モードの種類（ここでは、「静止画撮影モード」、「動画撮影モード」、「再生モード」、「その他の動作モード」）毎に設定することができる。
【００４８】
なお、この際の設定もメニュースイッチを押圧操作することにより表示されるメニュー画面上で行うことができる。そして、当該設定の結果として、メモリカード５２の所定領域に、オープニング画面として選択された画像を示すデジタル画像データと、当該データによるオープニング画面を表示する動作モードを示す動作モード情報と、を対応付ける対応付け情報が記憶される。
【００４９】
また、本実施の形態に係るデジタルカメラ１０では、ＬＣＤ３８によるオープニング画面の表示／非表示を切換える際に操作するスイッチ（以下、「表示切換スイッチ」という。）が、設定されている動作モード毎に予め定められている。具体的には、静止画撮影モード及び動画撮影モードの各撮影モードが設定されている場合の表示切換スイッチとしてレリーズスイッチ５６Ａが定められている。また、再生モードが設定されている場合の表示切換スイッチとして、再生モード時に再生画像のコマ送りを指示する役割を有する十字カーソルスイッチ５６Ｄの左方向矢印キー及び右方向矢印キーが定められている。
【００５０】
次に、本実施の形態に係るデジタルカメラ１０の撮影時における全体的な動作について簡単に説明する。
【００５１】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５２】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５３】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００５４】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５５】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５６】
ここで、静止画撮影モードが設定されている場合、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００５７】
一方、動画撮影モードが設定されている場合には、レリーズスイッチ５６Ａが全押し状態とされたタイミングで、その時点からメモリ４８に格納されるＹＣ信号を、所定期間毎に時系列で圧縮・伸張処理回路５４により所定の圧縮形式（本実施の形態では、Ｍｏｔｉｏｎ  ＪＰＥＧ形式）で圧縮した後に外部メモリインタフェース５０を介してメモリカード５２に順次記録していき、再度レリーズスイッチ５６Ａが全押し状態とされたタイミングで、当該記録動作を終了する。
【００５８】
以上がデジタルカメラ１０の撮影時における全体的な動作の流れであるが、本実施の形態に係るデジタルカメラ１０では、電源スイッチ５６Ｂが投入されたときに電源オン処理が実行される。
【００５９】
以下、図５を参照して、本実施の形態に係る電源オン処理について説明する。なお、図５は、当該電源オン処理の実行時にＣＰＵ４０により実行される電源オン処理プログラムの処理の流れを示すフローチャートである。また、ここでは、オープニング画面を表示させる期間、及びオープニング画面として表示する画像と動作モードとの対応関係が予め設定されている場合について説明する。
【００６０】
同図のステップ１００では、この時点で設定されている動作モードに対して予め定められた表示切換スイッチを特定する。ここで、本実施の形態では、静止画撮影モード又は動画撮影モードが設定されている場合にはレリーズスイッチ５６Ａが、再生モードが設定されている場合には十字カーソルスイッチ５６Ｄの左方向矢印キー及び右方向矢印キーが、表示切換スイッチとして特定されることになる。
【００６１】
次のステップ１０２では、タイマ４０Ａをリセットした後に該タイマ４０Ａによる計時を開始し、次のステップ１０４では、オープニング画面の表示が指示されているか否かを判定して、肯定判定となった場合にはステップ１０６に移行する。なお、上記オープニング画面の表示が指示されているか否かの判定は、予め設定されているオープニング画面を表示させる期間が０（零）とされていないか否かを判定することにより行う。
【００６２】
ステップ１０６では、上記ステップ１００の処理にて特定された表示切換スイッチがユーザによって操作されたか否かを判定し、否定判定となった場合はステップ１０８に移行する。
【００６３】
ステップ１０８では、メモリカード５２に記憶されている上記対応付け情報により、この時点で設定されている動作モードを示す動作モード情報に対応付けられているデジタル画像データをメモリカード５２から読み出し、該デジタル画像データにより示される画像をオープニング画面としてＬＣＤ３８により表示させるオープニング画面表示処理を実行する。本ステップ１０８の処理により、ＬＣＤ３８には、一例として図６に示すように、静止画撮影モードに対応する画像のオープニング画面としての表示が開始される。
【００６４】
次のステップ１１０では、上記ステップ１００の処理にて特定された表示切換スイッチがユーザによって操作されたか否かを判定し、否定判定となった場合はステップ１１２に移行して、タイマ４０Ａによる計時値によって示される期間Ｔがオープニング画面の表示期間として予め設定された期間ＴＸ以上となったか否かを判定し、否定判定となった場合は上記ステップ１１０に戻り、肯定判定となった場合にはステップ１１４に移行する。なお、上記ステップ１１０において肯定判定となった場合には上記ステップ１１２の処理を実行することなくステップ１１４に移行する。
【００６５】
ステップ１１４では、上記ステップ１０８の処理によって表示が開始されたオープニング画面の表示を停止させるオープニング画面非表示処理を実行し、その後にステップ１２０に移行する。
【００６６】
なお、上記ステップ１０６において肯定判定となった場合は上記ステップ１０８〜ステップ１１４の処理を実行することなくステップ１２０に移行する。
【００６７】
一方、上記ステップ１０４において否定判定となった場合はステップ１１６に移行して、上記ステップ１００の処理にて特定された表示切換スイッチがユーザによって操作されたか否かを判定し、肯定判定となった場合はステップ１０８に移行し、否定判定となった場合はステップ１１８に移行する。
【００６８】
ステップ１１８では、タイマ４０Ａによる計時値によって示される期間Ｔがオープニング画面の表示切換え可能期間として予め設定された期間（本実施の形態では１秒間）に達したか否かを判定し、否定判定となった場合は上記ステップ１１６に戻り、肯定判定となった場合にはステップ１２０に移行する。
【００６９】
上記ステップ１１６及びステップ１１８の繰り返し処理により、オープニング画面を表示しないことが設定されている場合で、かつ上記表示切換え可能期間の間に表示切換スイッチがユーザによって操作された場合に限り、オープニング画面を表示することになる。
【００７０】
ステップ１２０では、設定されている動作モードに応じた動作を実行し、その後に本電源オン処理プログラムを終了する。
【００７１】
以上詳細に説明したように、本実施の形態では、電源が投入された際にオープニング画面を表示しないことが設定されていると共に予め定められた操作手段（表示切換スイッチ）が操作されたとき、前記オープニング画面を表示するようにＬＣＤ３８を制御しているので、操作手段に対する操作のみにより、電源投入時にオープニング画面を表示させるように容易に切換えることができる。
【００７２】
また、本実施の形態では、電源が投入された際に前記オープニング画面を表示することが設定されていると共に前記操作手段が操作されたとき、前記オープニング画面のＬＣＤ３８による表示を禁止しているので、オープニング画面の表示を容易に省略することができ、この結果、デジタルカメラ１０の有する機能を即座に利用することができるようになる。
【００７３】
更に、本実施の形態では、前記操作手段を、設定されている動作モードで用いられるスイッチとしているので、設定されている動作モードでの操作に即座に移行することができ、利便性を向上させることができる。
【００７４】
なお、本実施の形態において表示切換スイッチとして割り付けたスイッチは本実施の形態に記載のものに限らず、他の何れのスイッチを割り付けてもよい。但し、設定されている動作モードで用いられるスイッチを割り付けることが利便性の面で有利である。
【００７５】
また、本実施の形態では、本発明の操作手段として、オープニング画面を表示するように切換えるためのスイッチと、オープニング画面の表示を禁止する際に操作するスイッチを共通のスイッチ（表示切換スイッチ）とした場合について説明したが、本発明はこれに限定されるものではなく、各スイッチとして異なるスイッチを適用する形態とすることもできる。この場合も、本実施の形態と同様の効果を奏することができる。
【００７６】
また、本実施の形態では、オープニング画面として静止画像を表示する場合について説明したが、本発明はこれに限定されるものではなく、オープニング画面として動画像を表示する形態とすることもできる。この場合も、本実施の形態と同様の効果を奏することができる。
【００７７】
その他、本実施の形態に係るデジタルカメラ１０の構成（図１、図２参照。）は一例であり、本発明の主旨を逸脱しない範囲内において適宜変更可能であることは言うまでもない。
【００７８】
また、本実施の形態において説明した電源オン処理プログラムの処理の流れ（図５参照。）も一例であり、本発明の主旨を逸脱しない範囲内において適宜変更可能であることは言うまでもない。
【００７９】
例えば、当該電源オン処理プログラムのステップ１０６及びステップ１１０の少なくとも一方の処理を実行しない形態とすることもできる。この場合、デジタルカメラ１０の有する機能を即座に利用することができるようになる、という効果が低下してしまうか、又は無くなってしまうことになるが、当該電源オン処理を簡略化することができる。
【００８０】
更に、本実施の形態では、本発明をデジタルカメラに適用した場合について説明したが、本発明は、ＰＤＡ（Personal Digital Assistant、携帯情報端末）、携帯電話器、パーソナル・コンピュータ等、オープニング画面を表示するか否かを予め選択的に設定可能に構成された電子機器であれば如何なるものでも適用できることは言うまでもない。
【図面の簡単な説明】
【００８１】
【図１】実施の形態に係るデジタルカメラ１０の外観を示す外観図である。
【図２】実施の形態に係るデジタルカメラ１０の電気系の主要構成を示すブロック図である。
【図３】実施の形態に係るデジタルカメラ１０のメニュー画面上で設定できるパラメータの説明に供する模式図である。
【図４】実施の形態に係るデジタルカメラ１０においてオープニング画面を表示させる期間を設定する際にＬＣＤ３８に表示される設定画面の一例を示す概略図である。
【図５】実施の形態に係る電源オン処理プログラムの処理の流れを示すフローチャートである。
【図６】実施の形態に係るオープニング画面の表示例を示す概略図である。
【符号の説明】
【００８２】
１０    デジタルカメラ
３８    液晶ディスプレイ（表示手段）
４０    ＣＰＵ（制御手段）
４０Ａ    タイマ
４８    メモリ
５６Ａ    レリーズスイッチ（操作手段）
５６Ｂ    電源スイッチ
５６Ｄ    十字カーソルスイッチ（操作手段）
【図１】
2005253002.tif 000003
【図２】
2005253002.tif 000004
【図３】
2005253002.tif 000005
【図４】
2005253002.tif 000006
【図５】
2005253002.tif 000007
【図６】
2005253002.tif 000008